(57)【要約】【課題】周壁に形成されたミシン線と接合壁に形成されたミシン線とが一致しなくても、ミシン線で周壁と接合壁とを破断することができる物品収納容器を提供する。【解決手段】物品収納容器１Ａは、頂壁７および底壁９と、周り方向へ延びる周壁１２と、周壁１２の側縁２４から周り方向外方へ延出する接合壁１０とを有する。側縁２４の反対側に位置する周壁１２の側縁１６から内側には、周壁１２の外面と接合壁１０の内面とを固着する連結域１７が形成されている。容器１Ａでは、周り方向へ延びる一対の壁破断用第１上下ミシン線１９，２０が接合壁１０を除いた周壁１２に形成され、第１上ミシン線１９の縦方向直上に近接して周り方向へ延びる壁破断用第２上ミシン線２６と第１下ミシン線２０の縦方向直下に近接して周り方向へ延びる壁破断用第２下ミシン線２７とが接合壁１０に形成されている。【選択図】図１
2006264722.tif 000002
【特許請求の範囲】
【請求項１】
周り方向へ延びる周壁と、前記周壁の縦方向上方に位置する頂壁と、前記周壁の縦方向下方に位置する底壁と、前記周壁の第１側縁から周り方向外方へ延出する接合壁とを有し、前記第１側縁の反対側に位置する前記周壁の第２側縁から内側に該周壁と前記接合壁とを固着する連結域が形成され、縦方向へ所定寸法離間並行して周り方向へ延びる一対の壁破断用第１上下ミシン線が前記周壁に形成された物品収納容器において、
前記連結域では、前記周壁の外面と前記接合壁の内面とが固着され、前記第１上下ミシン線が前記接合壁を除いた前記周壁に形成され、前記第１上ミシン線の縦方向直上に近接して周り方向へ延びる壁破断用第２上ミシン線と前記第１下ミシン線の縦方向直下に近接して周り方向へ延びる壁破断用第２下ミシン線とが前記接合壁に形成されていることを特徴とする前記容器。
【請求項２】
前記接合壁の自由側縁には、前記第２上ミシン線の終端から周り方向内方へ凹む第１凹欠部と前記第２下ミシン線の終端から周り方向内方へ凹む第２凹欠部とが形成され、
前記第１凹欠部が、前記第１および第２上ミシン線につながって前記自由側縁から前記第１側縁に向かって縦方向上方へ傾斜する第１斜辺を有し、前記第２凹欠部が、前記第１および第２下ミシン線につながって前記自由側縁から前記第１側縁に向かって縦方向下方へ傾斜する第２斜辺を有する請求項１記載の物品収納容器。
【請求項３】
周り方向へ延びる周壁と、前記周壁の縦方向上方に位置する頂壁と、前記周壁の縦方向下方に位置する底壁と、前記周壁の第１側縁から周り方向外方へ延出する接合壁とを有し、前記第１側縁の反対側に位置する前記周壁の第２側縁から内側に該周壁と前記接合壁とを固着する連結域が形成され、縦方向へ所定寸法離間並行して周り方向へ延びる一対の壁破断用第１上下ミシン線が前記周壁に形成された物品収納容器において、
前記連結域では、前記周壁の内面と前記接合壁の外面とが固着され、前記第１上下ミシン線が前記接合壁を除いた前記周壁に形成され、前記第１上ミシン線の縦方向直下に近接して周り方向へ延びる壁破断用第２上ミシン線と前記第１下ミシン線の縦方向直上に近接して周り方向へ延びる壁破断用第２下ミシン線とが前記接合壁に形成されていることを特徴とする前記容器。
【請求項４】
前記接合壁の自由側縁には、前記第２上ミシン線の終端から周り方向内方へ凹む第１凹欠部と前記第２下ミシン線の終端から周り方向内方へ凹む第２凹欠部とが形成され、
前記第１凹欠部が、前記第１および第２上ミシン線につながって前記自由側縁から前記第１側縁に向かって縦方向下方へ傾斜する第１斜辺を有し、前記第２凹欠部が、前記第１および第２下ミシン線につながって前記自由側縁から前記第１側縁に向かって縦方向上方へ傾斜する第２斜辺を有する請求項３記載の物品収納容器。
【請求項５】
前記第２上下ミシン線間に延びる壁破断用第３ミシン線が、前記周壁の第１側縁に形成されている請求項１ないし請求項４いずれかに記載の物品収納容器。
【請求項６】
前記周壁が、互いに離間対向する第１および第２周壁と、前記第１および第２周壁の間に位置して互いに離間対向する第３および第４周壁とから形成され、前記容器が、前記頂底壁と前記第１〜第４周壁とが直角に交差する六面体であり、
前記接合壁が、前記第１周壁の側縁に連接され、前記連結域が、前記第４周壁の側縁から内側に形成され、前記第１上下ミシン線が、前記第１周壁を除く前記第２〜第４周壁に形成されている請求項１ないし請求項５いずれかに記載の物品収納容器。
【請求項７】
前記容器では、前記第１上ミシン線と前記第１下ミシン線とのいずれか一方から延長されて周り方向へ延びる折曲線が前記第１周壁に形成され、前記第２〜第４周壁と前記接合壁とを前記第１および第２上下ミシン線で破断したときに、前記折曲線から縦方向上方に位置する前記容器の上部が該折曲線を軸として縦方向上下に旋回可能である請求項６記載の物品収納容器。
【発明の詳細な説明】
【技術分野】
【０００１】
本発明は、内部スペースに所定の物品を収納する物品収納容器に関する。
【背景技術】
【０００２】
互いに離間対向して縦方向へ延びる前後壁と、互いに離間対向して縦方向へ延びる左右側壁と、後壁の上端縁に連接されて頂部開口を開閉可能な頂壁と、後壁の下端縁に連接されて底部開口を塞ぐ底壁と、前壁に連接された接合壁とを有し、左側壁の側縁から内側に該左側壁と接合壁とを固着した連結域が形成され、縦方向へ所定寸法離間並行して周り方向へ延びる一対の壁破断用上下ミシン線が前後壁と右側壁とに形成された物品収納容器がある（特許文献１参照）。容器では、左側壁に後壁が連接され、後壁に右側壁が連接され、右側壁に前壁が連接されている。後壁には、フックに挿通可能な貫通孔を有する吊り下げ片が形成されている。容器は、それら壁が直角に交差する直方体であり、それら壁に囲繞された内部スペースに物品を収納して使用する。この容器は、吊り下げ片の貫通孔にフックを通し、前壁を前にした状態で容器をフックに吊り下げて陳列することができる。
【０００３】
右側壁には、下ミシン線から延長されて周り方向へ延びる折曲線が形成されている。上下ミシン線は、周り方向へ間欠的に並ぶ多数のミシン孔によって仮想された切取線である。ミシン線の延びる方向におけるミシン孔の長さ寸法は０．１５〜０．７５ｍｍの範囲にあり、隣り合うミシン孔どうしの離間寸法は０．１５〜０．５ｍｍの範囲にある。容器は、上下ミシン線で前後壁と右側壁とを破断すると、それら壁が縦方向へ二分され、折曲線を軸として上ミシン線から上方に延びる容器の上部を縦方向下方へ旋回させることができるから、頂壁を開けることなく、容器の内部に収納された物品を容器から取り出すことができる。
【特許文献１】特開平１１−２９２０６７号公報
【発明の開示】
【発明が解決しようとする課題】
【０００４】
前記公報に開示の容器において、それを上部と下部との２つに分離するには、それらミシン線を前後壁および右側壁のみならず、左側壁にも形成する必要があるが、左側壁に固着された接合壁を破断しないと、左側壁をミシン線で破断することができないから、接合壁にも壁破断用上下ミシン線を形成する必要がある。しかし、左側壁と接合壁とを固着するときに、左側壁の上ミシン線と接合壁の上ミシン線とを完全に一致させることや左側壁の下ミシン線と接合壁の下ミシン線とを完全に一致させることは困難であり、左側壁と接合壁とに形成されたそれらミシン線が一致しないと、左側壁に引き続いてミシン線で接合壁を破断することができない場合がある。
【０００５】
本発明の目的は、周壁に形成されたミシン線と接合壁に形成されたミシン線とが一致しなくても、ミシン線で周壁と接合壁とを破断することができる物品収納容器を提供することにある。
【課題を解決するための手段】
【０００６】
前記課題を解決するための本発明の前提は、周り方向へ延びる周壁と、周壁の縦方向上方に位置する頂壁と、周壁の縦方向下方に位置する底壁と、周壁の第１側縁から周り方向外方へ延出する接合壁とを有し、第１側縁の反対側に位置する周壁の第２側縁から内側に該周壁と接合壁とを固着する連結域が形成され、縦方向へ所定寸法離間並行して周り方向へ延びる一対の壁破断用第１上下ミシン線が周壁に形成された物品収納容器である。
【０００７】
前記前提における本発明の第１の特徴として、連結域では、周壁の外面と接合壁の内面とが固着され、第１上下ミシン線が接合壁を除いた周壁に形成され、第１上ミシン線の縦方向直上に近接して周り方向へ延びる壁破断用第２上ミシン線と第１下ミシン線の縦方向直下に近接して周り方向へ延びる壁破断用第２下ミシン線とが接合壁に形成されている。この容器は、第１上下ミシン線で周壁を破断すると、それらミシン線の間に延びる帯状部分が容器から次第に切り離され、周壁が第１上ミシン線の上方に延びる上部と第１下ミシン線の下方に延びる下部とに二分される。周壁と接合壁とが固着された連結域では、接合壁がそこに形成された第２上下ミシン線で破断し、周壁から切り離される帯状部分に引き続いて接合壁の第２上下ミシン線の間に延びる部分が帯状部分とともに容器から切り離される。
【０００８】
前記第１の特徴を有する本発明の実施態様の一例として、接合壁の自由側縁には、第２上ミシン線の終端から周り方向内方へ凹む第１凹欠部と第２下ミシン線の終端から周り方向内方へ凹む第２凹欠部とが形成され、第１凹欠部が、第１および第２上ミシン線につながって自由側縁から第１側縁に向かって縦方向上方へ傾斜する第１斜辺を有し、第２凹欠部が、第１および第２下ミシン線につながって自由側縁から第１側縁に向かって縦方向下方へ傾斜する第２斜辺を有する。この容器は、第１上ミシン線に加えられた力が第１斜辺を介して第１上ミシン線から第２上ミシン線に伝わるとともに、第１下ミシン線に加えられた力が第２斜辺を介して第１下ミシン線から第２下ミシン線に伝わる。
【０００９】
前記前提における本発明の第２の特徴として、連結域では、周壁の内面と接合壁の外面とが固着され、第１上下ミシン線が接合壁を除いた周壁に形成され、第１上ミシン線の縦方向直下に近接して周り方向へ延びる壁破断用第２上ミシン線と第１下ミシン線の縦方向直上に近接して周り方向へ延びる壁破断用第２下ミシン線とが接合壁に形成されている。この容器は、第１上下ミシン線で周壁を破断すると、それらミシン線の間に延びる帯状部分が容器から次第に切り離され、周壁が第１上ミシン線の上方に延びる上部と第１下ミシン線の下方に延びる下部とに二分される。周壁と接合壁とが固着された連結域では、接合壁がそこに形成された第２上下ミシン線で破断し、周壁から切り離される帯状部分に引き続いて接合壁の第２上下ミシン線の間に延びる部分が帯状部分とともに容器から切り離される。
【００１０】
前記第２の特徴を有する本発明の実施態様の一例として、接合壁の自由側縁には、第２上ミシン線の終端から周り方向内方へ凹む第１凹欠部と第２下ミシン線の終端から周り方向内方へ凹む第２凹欠部とが形成され、第１凹欠部が、第１および第２上ミシン線につながって自由側縁から第１側縁に向かって縦方向下方へ傾斜する第１斜辺を有し、第２凹欠部が、第１および第２下ミシン線につながって自由側縁から第１側縁に向かって縦方向上方へ傾斜する第２斜辺を有する。この容器は、第１上ミシン線に加えられた力が第１斜辺を介して第１上ミシン線から第２上ミシン線に伝わるとともに、第１下ミシン線に加えられた力が第２斜辺を介して第１下ミシン線から第２下ミシン線に伝わる。
【００１１】
前記第１および第２の特徴を有する本発明は、以下の実施態様を有する。
（１）第２上下ミシン線間に延びる壁破断用第３ミシン線が周壁の第１側縁に形成されている。
（２）周壁が、互いに離間対向する第１および第２周壁と、第１および第２周壁の間に位置して互いに離間対向する第３および第４周壁とから形成され、容器が、頂底壁と第１〜第４周壁とが直角に交差する六面体であり、接合壁が第１周壁の側縁に連接され、連結域が第４周壁の側縁から内側に形成され、第１上下ミシン線が第１周壁を除く第２〜第４周壁に形成されている。
（３）容器では、第１上ミシン線と第１下ミシン線とのいずれか一方から延長されて周り方向へ延びる折曲線が第１周壁に形成され、第２〜第４周壁と接合壁とを第１および第２上下ミシン線で破断したときに、折曲線から縦方向上方に位置する容器の上部が該折曲線を軸として縦方向上下に旋回可能である。
【発明の効果】
【００１２】
前記第１の特徴を有する本発明の物品収納容器によれば、接合壁には第１上ミシン線の縦方向直上に近接する第２上ミシン線と第１下ミシン線の縦方向直下に近接する第２下ミシン線とが形成されているから、第１上下ミシン線で周壁を次第に破断してゆくと、周壁とともに接合壁がそこに形成された第２上下ミシン線で破断し、周壁の第１上下ミシン線間に延びる帯状部分に引き続いて接合壁の第２上下ミシン線間に延びる部分が容器から切り離される。容器は、周壁の第１上ミシン線と接合壁の第２上ミシン線とが一致せず、周壁の第１下ミシン線と接合壁の第２下ミシン線とが一致しなくても、それらミシン線を介して周壁と接合壁とを確実に破断することができる。この容器は、周壁と接合壁とをミシン線で破断すると、容器が第１上ミシン線から上方に位置する上部と第１下ミシン線から下方に延びる下部とに二分され、容器の上部を縦方向下方へ旋回させることで内部スペースを開けることができるから、頂壁を開けなくてもスペースに収容された物品を容器から取り出すことができる。
【００１３】
第１の特徴を有する本発明において、接合壁の自由側縁に第１および第２凹欠部が形成された物品収納容器は、第１凹欠部が第１上ミシン線と第２上ミシン線とにつながる第１斜辺を有し、第２凹欠部が第１下ミシン線と第２下ミシン線とにつながる第２斜辺を有するから、第１上下ミシン線で周壁を破断する過程で、第１上ミシン線に加えられた力が第１斜辺を介して第１上ミシン線から第２上ミシン線に伝わるとともに、第１下ミシン線に加えられた力が第２斜辺を介して第１下ミシン線から第２下ミシン線に伝わり、帯状部分に引き続いて第２上下ミシン線の間に延びる部分を接合壁から確実に切り離すことができる。
【００１４】
前記第２の特徴を有する本発明の物品収納容器によれば、接合壁には第１上ミシン線の縦方向直下に近接する第２上ミシン線と第１下ミシン線の縦方向直上に近接する第２下ミシン線とが形成されているから、第１上下ミシン線で周壁を次第に破断してゆくと、周壁とともに接合壁がそこに形成された第２上下ミシン線で破断し、周壁の第１上下ミシン線間に延びる帯状部分に引き続いて接合壁の第２上下ミシン線間に延びる部分が容器から切り離される。容器は、周壁の第１上ミシン線と接合壁の第２上ミシン線とが一致せず、周壁の第１下ミシン線と接合壁の第２下ミシン線とが一致しなくても、それらミシン線を介して周壁と接合壁とを確実に破断することができる。この容器は、周壁と接合壁とをミシン線で破断すると、容器が第１上ミシン線から上方に位置する上部と第１下ミシン線から下方に延びる下部とに二分され、容器の上部を縦方向下方へ旋回させることで内部スペースを開けることができるから、頂部開口を開けなくてもスペースに収容された物品を容器から取り出すことができる。
【００１５】
第２の特徴を有する本発明において、接合壁の自由側縁に第１および第２凹欠部が形成された物品収納容器は、第１凹欠部が第１上ミシン線と第２上ミシン線とにつながる第１斜辺を有し、第２凹欠部が第１下ミシン線と第２下ミシン線とにつながる第２斜辺を有するから、第１上下ミシン線で周壁を破断する過程で、第１上ミシン線に加えられた力が第１斜辺を介して第１上ミシン線から第２上ミシン線に伝わるとともに、第１下ミシン線に加えられた力が第２斜辺を介して第１下ミシン線から第２下ミシン線に伝わり、帯状部分に引き続いて第２上下ミシン線の間に延びる部分を接合壁から確実に切り離すことができる。
【００１６】
第１および第２の特徴を有する本発明において、第２上下ミシン線間に延びる第３ミシン線が周壁の第１側縁に形成された物品収納容器は、周壁を第１上下ミシン線で破断するとともに、接合壁を第２上下ミシン線と第３ミシン線とで破断すると、周壁の第１上下ミシン線の間に延びる帯状部分と接合壁の第２上下ミシン線の間に延びる部分とを容器から分離することができるから、周壁と接合壁とをそれらミシン線で破断した後に帯状部分が容器につながったままの場合と比較し、帯状部分が邪魔にならず、容器の内部スペースから物品を容易に取り出すことができる。
【００１７】
第１および第２の特徴を有する本発明において、周壁が第１〜第４周壁から形成され、第１上下ミシン線が第１周壁を除く第２〜第４周壁に形成された物品収納容器は、第２〜第４周壁と接合壁とを第１上下ミシン線と第２上下ミシン線とで破断して容器を縦方向に二分した後、第１上ミシン線から縦方向上方に延びる容器の上部を第１周壁において縦方向下方へ旋回させることができ、頂部開口を開けることなく、内部スペースに収容された物品を容器から取り出すことができる。この容器は、第１周壁にミシン線が形成されていないから、内部スペースに収納した物品の名称や品質、効能等の宣伝文句を第１周壁に印刷したとしても、宣伝文句がミシン線によって見難くなることがなく、第１周壁を前にして容器を陳列することで、容器の見た目の悪化を防ぐことができる。
【００１８】
第１および第２の特徴を有する本発明において、第１上ミシン線と第１下ミシン線とのいずれか一方から延長されて周り方向へ延びる折曲線が第１周壁に形成された物品収納容器は、第２〜第４周壁と接合壁とを第１上下ミシン線と第２上下ミシン線とで破断して容器を縦方向上下に二分した後、第１上ミシン線から縦方向上方に延びる容器の上部を折曲線を軸として縦方向下方へ容易に旋回させることができ、頂部開口を開けることなく、内部スペースに収容された物品を容器から取り出すことができる。
【発明を実施するための最良の形態】
【００１９】
添付の図面を参照し、本発明にかかる物品収納容器の詳細を説明すると、以下のとおりである。
【００２０】
図１，２は、頂部開口６を開けた状態の一例として示す容器１Ａの斜視図と、頂部開口６を閉じた状態の容器１Ａの斜視図とであり、容器１Ａを後壁３の側から示している。図３，４は、左側壁５および接合壁１０を示す容器１Ａの側面図と、組み立て以前の状態で示す容器１Ａの展開平面図とである。図１，２，４では、縦方向を矢印Ｌで示し、周り方向（図４では横方向）を矢印Ｍで示す。
【００２１】
容器１Ａは、互いに離間対向して縦方向へ延びる矩形の前壁２および後壁３と、互いに離間対向して縦方向へ延びる矩形の右側壁４および左側壁５と、それら壁２，３，４，５の縦方向上方に位置して頂部開口６を開閉可能な頂壁７と、それら壁２，３，４，５の縦方向下方に位置して底部開口８を塞ぐ底壁９と、接合壁１０および延長壁１１とを有する。容器１Ａでは、前後壁２，３と左右側壁４，５とが周り方向へ延びる四角い周壁１２を画成している。容器１Ａは、それら壁２，３，４，５，７，９，１１，１２の他に、頂部開口６を開閉可能な一対の頂部フラップ１３と、底部開口８を塞ぐ一対の底部フラップ１４と、頂壁７につながる挿入フラップ１５とを有する。なお、本実施の形態では、それを前壁２の正面から見たときに、前壁２の右側に位置する壁を右側壁４とし、前壁２の左側に位置する壁を左側壁５とする。
【００２２】
容器１Ａでは、隣接する壁２，３，４，５，７，９どうし（フラップ１３，１４，１５を含む）が互いに直交するように、それら壁２，３，４，５，７，９が折り曲げられ、左右側壁４，５が前後壁２，３の間に位置して前後壁２，３と交差し、頂底壁７，９が前後壁２，３および左右側壁４，５の間に位置してそれら壁２，３，４，５と交差している。容器１Ａは、それら壁２，３，４，５，７，９が略直角に交差する直方体（六面体）である。左側壁５の側縁１６（周壁の第２側縁）から内側には、左側壁５と接合壁１０とを固着するための連結域１７が形成されている。連結域１７の周り方向の長さ寸法は、図４に仮想斜線で示すように、接合壁１０の周り方向のそれと略同一である。接合壁１０は、前壁２と左側壁５とを連結する糊代となる。連結域１７では、接合壁１０が左側壁５の外側に周り方向から重なって左側壁５の外面と接合壁１０の内面とが当接し、それら壁５，１０が接着剤（図示せず）を介して固着されている。この容器１Ａは、それら壁２，３，４，５，９に囲繞された内部スペース１８に所定の物品（図示せず）を入れた後、頂壁７とフラップ１３，１５とによって頂部開口６を閉じて使用する。
【００２３】
後壁３と左右側壁４，５とには、壁破断用第１上ミシン線１９と壁破断用第１下ミシン線２０とが形成されている。それらミシン線１９，２０は、縦方向へ所定寸法離間し、互いに並行して周り方向へ直線状に延びている。ミシン線１９，２０は、周り方向へ間欠的に並ぶ多数のミシン孔によって作られた切取線である。後壁３と左右側壁４，５とは、それらミシン線１９，２０で破断可能である。ミシン線１９，２０の延びる方向におけるミシン孔の長さ寸法や周り方向へ隣り合うミシン孔どうしの離間寸法に特に限定はないが、この容器１Ａではミシン線１９，２０の延びる方向におけるミシン孔の長さ寸法が０．１５〜０．７５ｍｍの範囲にあることが好ましく、周り方向へ隣り合うミシン孔どうしの離間寸法が０．１５〜０．５ｍｍの範囲にあることが好ましい。ミシン線１９，２０で後壁３と左右側壁４，５とを破断すると、後壁３および左右側壁４，５がミシン線１９の上方に延びる上部とミシン線２０の下方に延びる下部とに二分されるとともに、それらミシン線１９，２０の間に延びる帯状部分２１がそれら壁３，４，５から切り離され、帯状部分２１がそれら壁３，４，５から分離する（図５参照）。右側壁４に延びる帯状部分２１には、ミシン線１９，２０につながる切り込み線に囲まれた摘み２２が形成されている。
【００２４】
前壁２には、周り方向へ直線状に延びる折曲線２３が形成されている。折曲線２３は、右側壁４のミシン線１９から延長されて側縁２４（周壁の第１側縁）に達している。前壁２は、折曲線２３を介して縦方向上下に折り曲げることが可能である。前壁２は、折曲線２３の上方に延びる上部と折曲線２３の下方に延びる下部とに区分されている。延長壁１１は、後壁３につながって後壁３から縦方向上方へ延びている。延長壁１１には、それを貫通する円形の貫通孔２５が形成されている。
【００２５】
接合壁１０には、壁破断用第２上ミシン線２６と壁破断用第２下ミシン線２７とが形成されている。側縁２４には、壁破断用第３ミシン線２８が形成されている。それらミシン線２６，２７，２８は、ミシン線１９，２０と同様に、間欠的に並ぶミシン孔によって作られた切取線である。接合壁１０は、それらミシン線２６，２７，２８を介して破断可能である。第２上下ミシン線２６，２７は、縦方向へ所定寸法離間対向し、互いに並行して周り方向へ直線状に延びている。ミシン線２６は、ミシン線１９の縦方向直上に近接位置している。ミシン線２７は、ミシン線２０の縦方向直下に近接位置している。ミシン線２８は、ミシン線２６，２７の間に位置してそれらミシン線２６，２７につながり、側縁２４に沿って縦方向へ延びている。ミシン線２６，２７，２８の延びる方向におけるミシン孔の長さ寸法は、ミシン線１９，２０の延びる方向におけるミシン孔のそれよりも大きく、ミシン線２６，２７，２８におけるミシン孔どうしの縦方向の離間寸法は、ミシン線１９，２０におけるミシン孔どうしの縦方向のそれよりも大きい。ミシン線２６，２７，２８で接合壁１０を破断すると、接合壁１０がミシン線２６の上方に延びる上部とミシン線２７の下方に延びる下部とに二分されるとともに、それらミシン線２６，２７の間に延びる部分２９が接合壁１０から切り離され、部分２９が接合壁１０から分離する（図６参照）。
【００２６】
接合壁１０の側縁３０（自由側縁）には、第２上ミシン線２６の終端から周り方向内方へ凹む（側縁３０から側縁２４に向かって凹む）第１凹欠部３１と、第２下ミシン線２７の終端から周り方向内方へ凹む（側縁３０から側縁２４に向かって凹む）第２凹欠部３２とが形成されている。凹欠部３１は、第１上ミシン線１９と第２上ミシン線２６とにつながる第１斜辺３３を有する。斜辺３３は、第２上ミシン線２６の縦方向直下に位置し、側縁３０から側縁２４に向かって（第１上ミシン線１９から第２上ミシン線２６に向かって）縦方向上方へ傾斜している。ミシン線１９は、斜辺３３のほぼ中央と交差している。凹欠部３２は、第１下ミシン線２０と第２下ミシン線２７とにつながる第２斜辺３４を有する。斜辺３４は、第２下ミシン線２７の縦方向直上に位置し、側縁３０から側縁２４に向かって（第１下ミシン線２０から第２下ミシン線２７に向かって）縦方向下方へ傾斜している。ミシン線２０は、斜辺３４のほぼ中央と交差している。斜辺３３と斜辺３４とは、互いの離間寸法が側縁３０から側縁２４に向かうにつれて次第に大きくなっている。
【００２７】
図４の展開平面図では、図の横方向左方から横方向右方に向かって、接合壁１０，前壁２，右側壁４，後壁３，左側壁５の順に並んでいる。頂壁７は、上端縁３５を介して前壁２に連接され、前壁２から縦方向上方へ延びている。フラップ１５は、端縁３６を介して頂壁７に連接されている。接合壁１０は、側縁２４（周壁の第１側縁）を介して前壁２に連接され、前壁２から横方向外方へ延びている。底壁９は、下端縁３７を介して前壁２と後壁３とに連接され、前後壁２，３から縦方向下方へ延びている。右側壁４は、側縁３９を介して前壁２に連接され、側縁４０を介して後壁３に連接されている。左側壁５は、側縁４１を介して後壁３に連接されている。延長壁１１は、後壁３に連接されている。フラップ１３は、上端縁３５を介して右側壁４と左側壁５とに連接され、それら壁４，５から縦方向上方へ延びている。フラップ１４は、下端縁３７を介して右側壁４と左側壁５とに連接され、それら壁４，５から縦方向下方へ延びている。
【００２８】
図４の展開状態から図１の容器１Ａに組み立てる手順は、以下のとおりである。接合壁１０が前壁２に対して直交するように、接合部１０を側縁２４で折り曲げ、前壁２が右側壁４に対して直交するように、前壁２を側縁３９で折り曲げる。右側壁４が後壁３に対して直交するように、右側壁４を側縁４０で折り曲げ、後壁３が左側壁５に対して直交するように、後壁３を側縁４１で折り曲げる。それら壁２，３，４，５，１０を折り曲げた後は、接合壁１０を左側壁５の外側に重ね合わせ、連結域１７において互いに重なり合う左側壁５と接合壁１０とを固着する。次に、底壁９が前後壁２，３に対して直交するように、それら底壁９を下端縁３７で折り曲げ、フラップ１４が左右側壁４，５に対して直交するように、それらフラップ１４を下端縁３７で折り曲げる。それら底壁９とそれらフラップ１４とを折り曲げた後は、底壁９とフラップ１４とを互いに係合させて底部開口８を閉じる。
【００２９】
容器１Ａでは、頂部開口６から内部スペース１８に物品を入れた後、フラップ１３が左右側壁４，５に対して直交するように、それらフラップ１３を上端縁３５で折り曲げる。次に、フラップ１５が頂壁７に対して直交するように、フラップ１５を端縁３６で折り曲げ、頂壁７が前壁２に対して直交するように、頂壁７を上端縁３５で折り曲げる。頂壁７とフラップ１３とを折り曲げた後は、頂壁７をフラップ１３の外面に重ね合わせるとともに、フラップ１５を後壁３の内側から内部スペース１８に挿通し、頂壁７とそれらフラップ１３とで頂部開口６を閉じる。頂部開口６を閉じた容器１Ａは、前壁２を前に向けた状態で棚に載置して陳列したり、貫通孔２５にフックを挿通し、前壁２を前に向けた状態でフックに吊下げて陳列する。
【００３０】
図５，６は、ミシン線１９，２０で壁３，４，５を破断する途中の図と、壁３，４，５，１０から切り離された部分２１，２９を拡大して示す図とである。容器１Ａの内部スペース１８に収納された物品を取り出す手順は、以下のとおりである。摘み２２を指で摘持してミシン線１９，２０の間に延びる帯状部分２１を容器１Ａの周り方向外方へ引っ張る。摘み２２を摘持しながら帯状部分２１を引っ張ると、右側壁４，後壁３，左側壁５の順にそれら壁３，４，５がミシン線１９，２０で次第に破断し、帯状部分２１がそれら壁３，４，５から次第に切り離される。ミシン線１９，２０で左側壁５を破断していくと、壁５を破断する力が斜辺３３，３４を介してミシン線１９，２０からミシン線２６，２７に伝わる。連結域１７では、左側壁５がミシン線１９，２０で破断されるとともに、接合壁１０がミシン線２６，２７とミシン線２８とで破断され、ミシン線２６，２７の間に延びる接合壁１０の部分２９と帯状部分２１とが容器１Ａから切り離され、それら部分２１，２９が容器１Ａから分離する。それら部分２１，２９を容器１Ａから分離した後は、折曲線２３を軸として容器１Ａの上部４２を縦方向下方へ旋回させて内部スペース１８を開け、スペース１８に収納された物品を容器１Ａから取り出す。
【００３１】
容器１Ａは、第１上下ミシン線１９，２０で左側壁５を次第に破断してゆくと、左側壁５とともに接合壁１０がそこに形成された第２上下ミシン線２６，２７で破断し、第１上下ミシン線１９，２０間に延びる帯状部分２１に引き連れられて接合壁１０の第２上下ミシン線２６，２７間に延びる部分２９が容器１Ａから切り離されるから、左側壁５に形成されたミシン線１９，２０と接合壁１０に形成されたミシン線２６，２７とが一致しなくても、それらミシン線１９，２０，２６，２７で左側壁５と接合壁１０とを破断することができる。容器１Ａは、それら壁３，４，５，１０をミシン線１９，２０，２６，２７で破断すると、容器１Ａがミシン線１９から上方に延びる上部４２とミシン線２０から下方に延びる下部４３とに二分され、折曲線２３を軸として容器１Ａの上部４２を縦方向下方へ旋回させて内部スペース１８を開けることができるから、頂壁７を開けなくてもスペース１８に収容された物品を容器１Ａから取り出すことができる。この容器１Ａは、前壁２に折曲線２３が形成されているから、容器１Ａの上部４２を折曲線２３を軸として縦方向下方へ容易に旋回させることができる。
【００３２】
容器１Ａは、接合壁１０に側縁３０から周り方向内方へ凹む凹欠部３１，３２が形成され、凹欠部３１が第１上ミシン線１９と第２上ミシン線２６とにつながる第１斜辺３３を有し、凹欠部３２が第１下ミシン線２０と第２下ミシン線２７とにつながる第２斜辺３４を有するから、第１上下ミシン線１９，２０で左側壁５を破断する過程で、第１上ミシン線１９に加えられた力が斜辺３３を介してミシン線１９から第２上ミシン線２６に伝わるとともに、第１下ミシン線２０に加えられた力が斜辺３４を介してミシン線２０から第２下ミシン線２７に伝わり、帯状部分２１に引き続いて第２上下ミシン線２６，２７の間に延びる部分２９を接合壁１０から容易に切り離すことができる。容器１Ａは、第１上下ミシン線１９，２０の間に延びる帯状部分２１と第２上下ミシン線２６，２７の間に延びる部分２９とが容器１Ａから分離されるから、それら壁３，４，５，１０をミシン線１９，２０，２６，２７で破断した後、内部スペース１８から物品を取り出すときに帯状部分２１や部分２９が邪魔になることがない。容器１Ａは、収納した物品の名称や品質、効能等の宣伝文句を前壁２に印刷したとしても、前壁２にミシン線１９，２０が形成されていないから、宣伝文句がミシン線１９，２０によって見難くなることはなく、前壁２を前にして容器１Ａを陳列したとしても、容器１Ａの見た目が悪くなることはない。
【００３３】
図７，８は、他の一例として示す容器１Ｂの斜視図と、左側壁５および接合壁１０を示す容器１Ｂの側面図とであり、図９，１０は、組み立て以前の状態で示す容器１Ｂの展開平面図と、３，４，５，１０から切り離された部分２１，２９を拡大して示す図とである。図７，９では、縦方向を矢印Ｌで示し、周り方向（図９では横方向）を矢印Ｍで示す。容器１Ｂは、前後壁２，３および左右側壁４，５と、頂部開口６を開閉可能な頂壁７および下部開口８を塞ぐ底壁９と、接合壁１０および延長壁１１とを有し、それら壁２，３，４，５，７，９が略直角に交差する直方体（六面体）であり、側縁１６（周壁の第２側縁）から内側に左側壁５と接合壁１０とを固着するための連結域１７が形成されている点において図１の容器１Ａと同一である。この容器１Ｂが図１のそれと異なるのは、接合壁１０が左側壁５の内側に重なっている点と、第２上ミシン線２６が第１上ミシン線１９の縦方向下方に位置している点と、第２下ミシン線２７が第１下ミシン線２０の縦方向上方に位置している点とであり、その他の構成は図１の容器１Ａのそれと同一であるから、図１と同一の符号を付すことでこの容器１Ｂにおけるその他の構成の詳述は省略する。
【００３４】
連結域１７では、接合壁１０が左側壁５の内側に周り方向から重なって左側壁５の内面と接合壁１０の外面とが当接し、それら壁５，１０が接着剤（図示せず）を介して固着されている。後壁３と左右側壁４，５とに形成された壁破断用第１上下ミシン線１９，１０は、縦方向へ所定寸法離間し、互いに並行して周り方向へ直線状に延びている。ミシン線１９，２０で後壁３と左右側壁４，５とをを破断すると、それら壁３，４，５がミシン線１９の上方に延びる上部とミシン線２０の下方に延びる下部とに二分されるとともに、それらミシン線１９，２０の間に延びる帯状部分２１がそれら壁３，４，５から切り離され、帯状部分２１がそれら壁３，４，５から分離する。前壁２に形成された折曲線２３は、右側壁４のミシン線１９から延長されて周り方向へ直線状に延び、側縁２４に達している。
【００３５】
接合壁１０に形成された第２上下ミシン線２６，２７は、縦方向へ所定寸法離間対向し、互いに並行して周り方向へ直線状に延びている。ミシン線２６は、ミシン線１９の縦方向直下に近接位置している。ミシン線２７は、ミシン線２０の縦方向直上に近接位置している。側縁２４に形成された第３ミシン線２８は、ミシン線２６，２７の間に位置してそれらミシン線２６，２７につながっている。ミシン線２６，２７，２８で接合壁１０を破断すると、接合壁１０がミシン線２６の上方に延びる上部とミシン線２７の下方に延びる下部とに二分されるとともに、それらミシン線２６，２７の間に延びる部分２９が接合壁１０から切り離され、部分２９が接合壁１０から分離する。
【００３６】
接合壁１０の側縁３０（自由側縁）には、第２上ミシン線２６の終端から周り方向内方へ凹む第１凹欠部３１と、第２下ミシン線２７の終端から周り方向内方へ凹む第２凹欠部３２とが形成されている。凹欠部３１は、第１上ミシン線１９と第２上ミシン線２６とにつながる第１斜辺３３を有する。斜辺３３は、第２上ミシン線２６の縦方向直上に位置し、側縁３０から側縁２４に向かって縦方向下方へ傾斜している。ミシン線１９は、斜辺３３のほぼ中央と交差している。凹欠部３２は、第１下ミシン線２０と第２下ミシン線２７とにつながる第２斜辺３４を有する。斜辺３４は、第２上ミシン線２７の縦方向直下に位置し、側縁３０から側縁２４に向かって縦方向上方へ傾斜している。ミシン線２０は、斜辺３４のほぼ中央と交差している。斜辺３３と斜辺３４とは、互いの離間寸法が側縁３０から側縁２４に向かうにつれて次第に小さくなっている。
【００３７】
図９の展開状態から図７の容器１Ｂに組み立てる手順は、以下のとおりである。接合壁１０が前壁２に対して直交するように、接合部１０を側縁２４で折り曲げ、前壁２が右側壁４に対して直交するように、前壁２を側縁３９で折り曲げる。右側壁４が後壁３に対して直交するように、右側壁４を側縁４０で折り曲げ、後壁３が左側壁５に対して直交するように、後壁３を側縁４１で折り曲げる。それら壁２，３，４，５，１０を折り曲げた後は、接合壁１０を左側壁５の内側に重ね合わせ、連結域１７において互いに重なり合う左側壁５と接合壁１０とを固着する。次に、底壁９が前後壁２，３に対して直交するように、それら底壁９を下端縁３７で折り曲げ、フラップ１４が左右側壁４，５に対して直交するように、それらフラップ１４を下端縁３７で折り曲げる。それら底壁９とそれらフラップ１４とを折り曲げた後は、底壁９とフラップ１４とを互いに係合させて底部開口８を閉じる。
【００３８】
頂部開口６から内部スペース１８に物品を入れた後、フラップ１３が左右側壁４，５に対して直交するように、それらフラップ１３を上端縁３５で折り曲げる。次に、フラップ１５が頂壁７に対して直交するように、フラップ１５を端縁３６で折り曲げ、頂壁７が前壁２に対して直交するように、頂壁７を上端縁３５で折り曲げる。頂壁７とフラップ１３とを折り曲げた後は、頂壁７をフラップ１３の外面に重ね合わせるとともに、フラップ１５を後壁３の内側から内部スペース１８に挿通し、頂壁７とそれらフラップ１３とで頂部開口６を閉じる。頂部開口６を閉じた容器１Ａは、前壁２を前に向けた状態で棚に載置して陳列したり、貫通孔２５にフックを挿通し、前壁２を前に向けた状態でフックに吊下げて陳列する。
【００３９】
容器１Ｂの内部スペース１８に収納された物品を取り出す手順は、以下のとおりである。摘み２２を指で摘持してミシン線１９，２０の間に延びる帯状部分２１を容器１Ｂの周り方向外方へ引っ張る。摘み２２を摘持しながら帯状部分２１を引っ張ると、右側壁４，後壁３，左側壁５の順にそれら壁３，４，５がミシン線１９，２０で次第に破断し、帯状部分２１がそれら壁３，４，５から次第に切り離される（図５参照）。ミシン線１９，２０で左側壁５を破断していくと、壁５を破断する力が斜辺３３，３４を介してミシン線１９，２０からミシン線２６，２７に伝わる。連結域１７では、左側壁５がミシン線１９，２０で破断されるとともに、接合壁１０がミシン線２６，２７とミシン線２８とで破断され、ミシン線２６，２７の間に延びる接合壁１０の部分２９と帯状部分２１とが容器１Ｂから切り離され（図１０参照）、それら部分２１，２８が容器１Ｂから分離する。それら部分２１，２８を容器１Ｂから分離した後は、折曲線２３で容器１Ｂの上部４２を縦方向下方へ旋回させて内部スペース１８を開け、スペース１８に収納された物品を容器１Ｂから取り出す。
【００４０】
容器１Ｂは、第１上下ミシン線１９，２０で左側壁５を次第に破断してゆくと、左側壁５とともに接合壁１０がそこに形成された第２上下ミシン線２６，２７で破断し、第１上下ミシン線１９，２０間に延びる帯状部分２１に引き連れられて接合壁１０の第２上下ミシン線２６，２７間に延びる部分２９が容器１Ｂから切り離されるから、左側壁５に形成されたミシン線１９，２０と接合壁１０に形成されたミシン線２６，２７とが一致しなくても、ミシン線１９，２０，２６，２７で左側壁５と接合壁１０とを破断することができる。容器１Ｂは、それら壁３，４，５，１０をミシン線１９，２０，２６，２７で破断すると、容器１Ｂがミシン線１９から上方に位置する上部４２とミシン線２０から下方に延びる下部４３とに分離され、折曲線２３を軸として容器１Ｂの上部４２を縦方向下方へ旋回させて内部スペース１８を開けることができるから、頂壁７を開けなくてもスペース１８に収容された物品を容器１Ｂから取り出すことができる。この容器１Ｂは、前壁２に折曲線２３が形成されているから、容器１Ｂの上部４２を折曲線２３を軸として縦方向下方へ容易に旋回させることができる。
【００４１】
容器１Ｂは、接合壁１０の側縁３０に凹欠部３１，３２が形成され、凹欠部３１が第１上ミシン線１９と第２上ミシン線２６とにつながる第１斜辺３３を有し、凹欠部３２が第１下ミシン線２０と第２下ミシン線２７とにつながる第２斜辺３４を有するから、第１上下ミシン線１９，２０で左側壁５を破断する過程で、第１上ミシン線１９に加えられた力が斜辺３３を介してミシン線１９から第２上ミシン線２６に伝わるとともに、第１下ミシン線２６に加えられた力が斜辺３４を介してミシン線２０から第２下ミシン線２７に伝わり、帯状部分２１に引き続いて第２上下ミシン線２６，２７の間に延びる部分２９を接合壁１０から容易に切り離すことができる。容器１Ｂは、第１上下ミシン線１９，２０の間に延びる帯状部分２１と第２上下ミシン線２６，２７の間に延びる部分２９とが容器１Ｂから分離されるから、それら壁３，４，５，１０をミシン線１９，２０，２６，２７で破断した後、容器１Ｂの内部スペース１８から物品を取り出すときに帯状部分２１や部分２９が邪魔になることがない。容器１Ｂは、収納した物品の名称や品質、効能等の宣伝文句を前壁２に印刷したとしても、前壁２にミシン線１９，２０が形成されていないから、宣伝文句がミシン線１９，２０によって見難くなることはなく、前壁２を前にして容器１Ｂを陳列したとしても、容器１Ｂの見た目が悪くなることはない。
【００４２】
図１，７に示す容器１Ａ，１Ｂでは、前壁２が請求の範囲における第１周壁に相当し、後壁３が請求の範囲における第２周壁に相当するとともに、右側壁４が請求の範囲における第３周壁に相当し、左側壁５が請求の範囲における第４側壁に相当する。ただし、容器１Ａ，１Ｂにおけるそれら壁２，３，４，５が請求の範囲における第１〜第４周壁を直ちに意味するものではなく、後壁３を第１周壁とし、前壁２を第２周壁とするとともに、右側壁４を第４周壁とし、左側壁５を第３周壁としてもよい。
【００４３】
それら容器１Ａ，１Ｂでは、側縁２４に第３ミシン線２８が形成されていなくてもよく、接合壁１０の側縁３０に第１および第２凹欠部３１，３２が形成されていなくてもよい。容器１Ａ，１Ｂは、その材質に特に限定はなく、紙やプラスチックシート、紙とプラスチックシートをラミネートした複合シート等から作ることができる。
【図面の簡単な説明】
【００４４】
【図１】頂部開口を開けた状態の一例として示す容器の斜視図。
【図２】頂部開口を閉じた状態の容器の斜視図。
【図３】左側壁および接合壁を示す容器の側面図。
【図４】組み立て以前の状態で示す容器の展開平面図。
【図５】ミシン線で壁を破断する途中の図。
【図６】壁から切り離された部分を拡大して示す図。
【図７】他の一例として示す容器の斜視図。
【図８】側壁および接合壁を示す容器の側面図。
【図９】組み立て以前の状態で示す容器の展開平面図。
【図１０】壁から切り離された部分を拡大して示す図。
【符号の説明】
【００４５】
１Ａ        物品収納容器
１Ｂ        物品収納容器
２          前壁
３          後壁
４          右側壁
５          左側壁
７          頂壁
９          底壁
１０          接合壁
１６          側縁（第２側縁）
１７          連結域
１９          壁破断用第１上ミシン線
２０          壁破断用第１下ミシン線
２１          帯状部分
２３          折曲線
２４          側縁（第１側縁）
２６          壁破断用第２上ミシン線
２７          壁破断用第２下ミシン線
２８          壁破断用第３ミシン線
２９          部分
３０          側縁（自由側縁）
３１          第１凹欠部
３２          第２凹欠部
３３          第１斜辺
３４          第２斜辺
【図１】
2006264722.tif 000003
【図２】
2006264722.tif 000004
【図３】
2006264722.tif 000005
【図４】
2006264722.tif 000006
【図５】
2006264722.tif 000007
【図６】
2006264722.tif 000008
【図７】
2006264722.tif 000009
【図８】
2006264722.tif 000010
【図９】
2006264722.tif 000011
【図１０】
2006264722.tif 000012